(57)【要約】      （修正有）【課題】付帯情報つきコンテンツデータのファイル転送が終了した後、付帯情報リストへの登録を行う際におけるユーザのイライラ感が、軽減されるようにした、再生機器を提供する。【解決手段】再生機器は、付帯情報つきコンテンツデータが格納されている、第１格納手段と、付帯情報リスト保持手段と、新たに転送されたコンテンツデータを受信する、受信手段と、受信した前記付帯情報つきコンテンツデータがファイルとして格納される、第２格納手段と、前記付帯情報リストから、再生するコンテンツデータを特定する情報を取得し、再生曲リストを作成する、再生曲リスト作成手段と、前記再生曲リストに基づいて、再生すべきコンテンツデータを取得し、再生を行う、再生手段と、再生を行っている間に、前記第２格納手段に格納されている前記コンテンツデータの解析を行って、前記付帯情報を取得し、前記付帯情報リストに登録する、リスト登録手段、を備えている。【選択図】図１
2007149224.tif 000002
【特許請求の範囲】
【請求項１】
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
新たに転送された前記付帯情報つきコンテンツデータを受信する、受信手段と、
前記受信手段で受信した前記付帯情報つきコンテンツデータがファイルとして格納される、第２格納手段と、
前記付帯情報リストから、再生する付帯情報つきコンテンツデータを特定する情報を取得し、再生曲リストを作成する、再生曲リスト作成手段と、
前記再生曲リスト作成手段で作成された前記再生曲リストに基づいて、再生すべき付帯情報つきコンテンツデータのコンテンツデータを取得し、この取得したコンテンツデータの再生を行う、再生手段と、
前記再生手段が再生を行っている間に、前記第２格納手段に格納されている前記付帯情報つきコンテンツデータの解析を行って、前記付帯情報を取得し、この取得した付帯情報を前記付帯情報リストに登録する、付帯情報リスト登録手段と、
を備えることを特徴とする再生機器。
【請求項２】
前記付帯情報リスト登録手段が前記付帯情報を前記付帯情報リストに登録した前記付帯情報つきコンテンツデータを、前記第２格納手段から前記第１格納手段に移動する、移動手段を、さらに備えることを特徴とする請求項１に記載の再生機器。
【請求項３】
前記付帯情報リスト登録手段は、前記第２格納手段に格納されている前記付帯情報つきコンテンツデータがなくなるまで、前記付帯情報リストへの登録処理を行う、ことを特徴とする請求項２に記載の再生機器。
【請求項４】
前記第１格納手段と前記第２格納手段は、ハードディスクドライブに形成された異なるフォルダである、ことを特徴とする請求項１乃至請求項３のいずれかに記載の再生機器。
【請求項５】
再生する付帯情報つきコンテンツデータを特定する情報は、前記付帯情報つきコンテンツデータのファイルパスである、ことを特徴とする請求項１乃至請求項４のいずれかに記載の再生機器。
【請求項６】
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器の制御方法であって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を備えることを特徴とする再生機器の制御方法。
【請求項７】
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器を制御するためのプログラムであって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を再生機器に実行させるためのプログラム。
【請求項８】
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器を制御するためのプログラムが記録された記録媒体であって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を再生機器に実行させるためのプログラムが記録された記録媒体。
【発明の詳細な説明】
【技術分野】
【０００１】
本発明は、再生機器に関し、特に、コンテンツデータとこのコンテンツデータに付帯する情報である付帯情報とを含む付帯情報つきコンテンツデータの再生を行う再生機器に関する。
【背景技術】
【０００２】
パーソナルコンピュータなどのセンター機器から、音楽や静止画、動画などのファイルを、携帯型ストレージなどの再生機器に転送して、この転送した再生機器でファイルを再生する使用態様が広く普及してきている。このようなセンター機器と再生機器とから構成されるコンテンツデータ転送システムにおいては、センター機器のハードディスクドライブに多数のファイルが格納されているとともに、このファイルは、コンテンツデータと、このコンテンツデータの内容などを表す付帯情報とにより、構成されている。
【０００３】
ファイルをセンター機器から再生機器に転送する際には、センター機器と再生機器との間は、ＵＳＢ（Universal Serial Bus）規格により、接続されることが多い。このＵＳＢ規格においては、このファイル転送に、汎用のマスストレージ接続が用いられる。
【０００４】
このマスストレージ接続は、センター機器のファイル管理システムが再生機器のハードディスクドライブを直接アクセスするので、再生機器のファイル管理システムはファイル転送に関与しない。このため、再生機器は、ファイル転送中には、どのようなファイルアクセスが発生したのかを、窺い知ることができない。
【０００５】
マスストレージ接続が終了して、再生機器のファイル管理システムがハードディスクドライブのファイル管理ができるようになると、再生機器は付帯情報つきコンテンツデータの中から付帯情報を取り出して、コンテンツデータの付帯情報リストを生成する。この付帯情報リストは付帯情報の中から必要な情報を抽出してリスト化したものである。再生機器は、付帯情報リストに格納されている情報を用いて、コンテンツデータの選択をユーザに行わせる選択画面を表示することで、小さい画面表示や、少ないボタンで、使いやすい操作環境を提供している。このような付帯情報を含むコンテンツデータの構成や管理テーブルの生成については、例えば、特開２００４−１７１６８４号公報（特許文献１）にも開示されている。
【特許文献１】特開２００４−１７１６８４号公報
【発明の開示】
【発明が解決しようとする課題】
【０００６】
しかしながら、このようなコンテンツデータ転送システムにおいては、転送すべきコンテンツデータのファイルが大量にあると、ファイルの転送が終了したとしても、再生機器が付帯情報を取り出して付帯情報リストに新たに転送したファイルの登録を終了するまでに、長い時間がかかってしまう。この付帯情報リストへの登録が終了するまで、ユーザは、再生機器を用いて再生をすることができず、この登録処理の終了をただ待つしかなく、ユーザにイライラ感が生じてしまうという問題が生じていた。
【０００７】
そこで本発明は、前記課題に鑑みてなされたものであり、付帯情報つきコンテンツデータのファイル転送が終了した後、付帯情報リストへの登録を行う際におけるユーザのイライラ感が、可能な限り軽減されるようにした、再生機器を提供することを目的とする。
【課題を解決するための手段】
【０００８】
上記課題を解決するため、本発明に係る再生機器は、
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
新たに転送された前記付帯情報つきコンテンツデータを受信する、受信手段と、
前記受信手段で受信した前記付帯情報つきコンテンツデータがファイルとして格納される、第２格納手段と、
前記付帯情報リストから、再生する付帯情報つきコンテンツデータを特定する情報を取得し、再生曲リストを作成する、再生曲リスト作成手段と、
前記再生曲リスト作成手段で作成された前記再生曲リストに基づいて、再生すべき付帯情報つきコンテンツデータのコンテンツデータを取得し、この取得したコンテンツデータの再生を行う、再生手段と、
前記再生手段が再生を行っている間に、前記第２格納手段に格納されている前記付帯情報つきコンテンツデータの解析を行って、前記付帯情報を取得し、この取得した付帯情報を前記付帯情報リストに登録する、付帯情報リスト登録手段と、
を備えることを特徴とする再生機器。
【０００９】
この場合、再生機器は、前記付帯情報リスト登録手段が前記付帯情報を前記付帯情報リストに登録した前記付帯情報つきコンテンツデータを、前記第２格納手段から前記第１格納手段に移動する、移動手段を、さらに備えるようにしてもよい。
【００１０】
さらに、前記付帯情報リスト登録手段は、前記第２格納手段に格納されている前記付帯情報つきコンテンツデータがなくなるまで、前記付帯情報リストへの登録処理を行うようにしてもよい。
【００１１】
また、前記第１格納手段と前記第２格納手段は、ハードディスクドライブに形成された異なるフォルダであってもよい。
【００１２】
また、再生する付帯情報つきコンテンツデータを特定する情報は、前記付帯情報つきコンテンツデータのファイルパスであってもよい。
【００１３】
本発明に係る再生機器の制御方法は、
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器の制御方法であって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を備えることを特徴とする。
【００１４】
本発明に係るプログラムは、
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器を制御するためのプログラムであって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を再生機器に実行させることを特徴とする。
【００１５】
本発明に係る記録媒体は、
コンテンツデータとこのコンテンツデータに付帯する情報である付帯情報とを含む付帯情報つきコンテンツデータが格納されている、第１格納手段と、
前記付帯情報つきコンテンツデータから読み出された前記付帯情報が登録されている付帯情報リストを保持する、付帯情報リスト保持手段と、
を備える再生機器を制御するためのプログラムが記録された記録媒体であって、
新たに転送された前記付帯情報つきコンテンツデータを受信するステップと、
前記受信した前記付帯情報つきコンテンツデータをファイルとして第２格納手段に格納するステップと、
前記付帯情報リストから、再生する付帯情報つきコンテンツデータを特定する情報を取得し、再生曲リストを作成するステップと、
前記再生曲リストに基づいて、再生すべき付帯情報つきコンテンツデータのコンテンツデータを取得し、この取得したコンテンツデータの再生を行うステップと、
前記コンテンツデータの再生を行っている間に、前記第２格納手段に格納されている前記付帯情報つきコンテンツデータの解析を行って、前記付帯情報を取得し、この取得した付帯情報を前記付帯情報リストに登録するステップと、
を再生機器に実行させるためのプログラムが記録されたことを特徴とする。
【発明を実施するための最良の形態】
【００１６】
以下、図面を参照して、本発明の実施形態を説明する。なお、以下に説明する実施形態は、本発明の技術的範囲を限定するものではない。
【００１７】
図１は、本発明の一実施形態に係るコンテンツデータ転送システム１００の構成を説明するためのブロック図である。この図１に示すように、本実施形態に係るコンテンツデータ転送システム１００は、センター機器１１０と再生機器１２０とを備えて構成されている。センター機器１１０は、例えば、ディスクトップ型やノート型などのパーソナルコンピュータなどにより構成される。再生機器１２０は、例えば、小型の携帯型ストレージなどにより構成される。
【００１８】
センター機器１１０は、例えば、ＣＰＵ（Central Processing Unit）１３０と、ＲＡＭ（Random Access Memory）１３２と、ＲＯＭ（Read Only Memory）１３４と、ハードディスクドライブ１３６と、通信用インターフェース１３８とを備えており、これらは内部バス１４０を介して相互に接続されている。
【００１９】
再生機器１２０も、例えば、ＣＰＵ（Central Processing Unit）１５０と、ＲＡＭ（Random Access Memory）１５２と、ＲＯＭ（Read Only Memory）１５４と、ハードディスクドライブ１５６と、通信用インターフェース１５８と、ディスプレイ１６０とを備えており、これらは内部バス１６２を介して相互に接続されている。
【００２０】
本実施形態においては、通信用インターフェース１３８と通信用インターフェース１５８とは、ＵＳＢ（Universal Serial Bus）インターフェースにより構成されており、これら通信用インターフェース１３８と通信用インターフェース１５８との間は、ＵＳＢケーブル１７０により接続されている。
【００２１】
図２は、センター機器１１０のハードディスクドライブ１３６や、再生機器１２０のハードディスクドライブ１５６に格納されている付帯情報つきコンテンツデータの構成の一例を説明する図である。この図２に示すように、付帯情報つきコンテンツデータは、コンテンツデータと、このコンテンツデータの付帯情報とを少なくとも含んで構成されている。
【００２２】
コンテンツデータは、音楽データ、静止画データ、動画データなどのデジタルデータが例として考えられる。本実施形態においては、これらコンテンツデータと付帯情報とを含む付帯情報つきコンテンツデータで、１つのファイルを構成している。
【００２３】
本実施形態においては、この付帯情報つきコンテンツデータがファイルとして、センター機器１１０から再生機器１２０に転送され、再生機器１２０は、この転送された付帯情報つきコンテンツデータのファイルを受信して、ハードディスクドライブ１５６にファイルとして格納する。
【００２４】
図２の例では、コンテンツデータが音楽データである場合の付帯情報つきコンテンツデータを示している。このため、図２においては、この付帯情報つきコンテンツデータに、付帯情報として、識別子、曲名、アーティスト、ジャンル、アルバム、コーディック形式が格納されている。付帯情報には、ここに例示したものに限らず、これ以外の情報を保持していてもよいし、ここの挙げたいくつかの項目を省いてもよい。なお、以下の説明においては、コンテンツデータが音楽ファイルである場合を例にして、説明をする。
【００２５】
また、本実施形態における再生機器１２０では、付帯情報リストに登録された付帯情報つきコンテンツデータと、登録されていない付帯情報つきコンテンツデータは、異なるフォルダに格納される。図３は、本実施形態に係る再生機器１２０のハードディスクドライブ１５６におけるフォルダ構成の一例を示す図である。この図３に示すように、本実施形態に係る再生機器１２０のハードディスクドライブ１５６においては、付帯情報リストに登録されていない付帯情報つきコンテンツデータが格納されるホルダと、登録済みの付帯情報つきコンテンツデータが格納されるフォルダは、分かれている。すなわち、登録されていない付帯情報つきコンテンツデータは、「未登録」のフォルダに格納され、登録された付帯情報つきコンテンツデータは「登録済み」のフォルダに格納される。換言すれば、センター機器１１０から転送された付帯情報つきコンテンツデータは、そのまま、ハードディスクドライブ１５６の「未登録」のフォルダに格納されることとなる。
【００２６】
次に、ユーザが音楽ファイルをセンター機器１１０から再生機器１２０に転送した後に、再生機器１２０で行われる処理について説明する。ここでは、音楽ファイルの転送を終えた後に、ユーザが、ディスプレイ１６０に表示される図４に示すような選択画面Ｗ１０において、既に登録されているファイルの再生をしながら未登録ファイルの登録を行う指示をした場合を想定する。
【００２７】
本実施形態においては、既に登録されているファイルの再生をしながら未登録ファイルの登録を再生機器１２０に指示すると、再生機器１２０では、再生処理と付帯情報リスト登録処理とが並列に起動される。
【００２８】
図５は、本実施形態に係る再生機器１２０で実行される再生処理の内容を説明するフローチャートを示す図である。本実施形態においては、この再生処理は、ＲＯＭ１５４又はハードディスクドライブ１５６に格納されている再生プログラムを、ＣＰＵ１５０が読み込んで実行することにより実現される処理である。
【００２９】
この図５に示すように、再生機器１２０は、まず、既存の付帯情報リストに基づいて、再生曲リストを作成する（ステップＳ１００）。図６は、ハードディスクドライブ１５６に格納されている付帯情報リストＴＢ１０の一例を示す図である。
【００３０】
この図６に示すように、本実施形態においては、曲名、アーティスト、ジャンル、アルバム、コーディック形式が付帯情報として付帯情報つきコンテンツデータから読み出されて、付帯情報リストＴＢ１０に格納されている。さらに、本実施形態においては、付帯情報リストＴＢ１０には、各ファイルの番号と、ファイルパスとが格納される。番号は、ファイルを整理するための連続番号が割り当てられており、ファイルパスには、そのファイルにアクセスするために必要な情報として、ファイルパスが格納される。
【００３１】
ステップＳ１００では、この図６に示す付帯情報リストＴＢ１０に基づいて、図７に示すような再生曲リストＴＢ２０が作成される。すなわち、再生曲リストＴＢ２０には、再生すべき曲順で、ファイルパスが格納される。したがって、再生機器１２０は、この再生曲リストＴＢ２０に格納されている順番に、付帯情報つきコンテンツデータにアクセスすることとなる。この再生曲リストＴＢ２０は、例えば、ハードディスクドライブ１５６に格納される。
【００３２】
本実施形態においては、「登録済み」のフォルダに格納されているすべてのファイルが、再生対象として、再生曲リストＴＢ２０に登録される。但し、ディスプレイ１６０に選曲画面を表示して、ユーザが選択した任意の曲のファイルだけを、再生曲リストに登録するようにしてもよい。
【００３３】
また、再生曲リストＴＢ２０に保持されているファイルパスは、「登録済み」のフォルダに格納されている付帯情報つきコンテンツデータのファイルを特定するための情報の一例である。したがって、このファイルを特定するための情報は、ファイルパスに限るものではなく、例えば「番号」により代用することもできる。
【００３４】
次に、図５に示すように、再生機器１２０は、再生曲リストＴＢ２０に基づいて、再生曲を１曲、選択する（ステップＳ１０２）。本実施形態においては、再生曲リストＴＢ２０の上から順番に、１つのファイルパスを選択することとしている。
【００３５】
次に、再生機器１２０は、選択した曲の再生を開始する（ステップＳ１０４）。具体的には、再生機器１２０は、選択したファイルパスに従って、１つの付帯情報つきコンテンツデータのファイルをアクセスして、コンテンツデータの読み出し、再生を行っていく。このコンテンツデータの読み出しは、所定の大きさのデータ量に区切って行われる。このため、ハードディスクドライブ１５６へのアクセスは、間欠的に行われることとなる。
【００３６】
選択したファイルの再生が完了すると、再生機器１２０は、再生曲リストＴＢ２０にあるすべての曲を再生したかどうかを判断する（ステップＳ１０６）。すべての曲を再生していない場合（ステップＳ１０６：ＮＯ）、すなわち、まだ再生していない曲が残っている場合には、上述したステップＳ１０２に戻り、再生曲リストＴＢ２０から次に再生する曲を選択して、再生を続ける。
【００３７】
一方、再生曲リストＴＢ２０にあるすべての曲を再生し終えたと判断した場合（ステップＳ１０６：ＹＥＳ）には、再生機器１２０は、この再生処理を終了する。
【００３８】
この図５に示した再生処理を実行している間、ＣＰＵ１５０には、空き時間が生じることがある。例えば、音楽を再生する場合には、ＣＰＵ１５０は、２〜５秒に１回程度の割合で、ハードディスクドライブ１５６に格納されているファイルにアクセスしてコンテンツデータを読み出して、これを復号すれば足りる。したがって、この空いている時間を利用して、再生機器１２０は、付帯情報リスト登録処理を実行する。
【００３９】
図８は、本実施形態に係る付帯情報リスト登録処理の内容を説明するフローチャートを示す図である。本実施形態においては、この付帯情報リスト登録処理は、ＲＯＭ１５４又はハードディスクドライブ１５６に格納された付帯情報リスト登録プログラムをＣＰＵ１５０が読み込んで実行することにより、実現される処理である。
【００４０】
図８に示すように、この再生起動処理が実行されると、まず、付帯情報リストに登録していない付帯情報つきコンテンツデータがあるかどうかを判断する（ステップＳ１２０）。図３に示したように、本実施形態に係る再生機器１２０のハードディスクドライブ１５６においては、未登録の付帯情報つきコンテンツデータは、「未登録」のフォルダに格納されている。このため、ステップＳ１２０においては、再生機器１２０は、この「未登録」のフォルダに付帯情報つきコンテンツデータのファイルが１つでもあるかどうかを判断する。
【００４１】
未登録の付帯情報つきコンテンツデータがあると判断した場合（ステップＳ１２０：ＹＥＳ）には、未登録の付帯情報つきコンテンツデータを１つ選択する（ステップＳ１２２）。すなわち、「未登録」のフォルダに格納されているファイルを１つ選択する。例えば、本実施形態においては、ファイル名を昇順に並べた場合の先頭のファイルを選択する。
【００４２】
次に、再生機器１２０は、選択した付帯情報つきコンテンツデータの内容を解析して、これに含まれている付帯情報を取得して、付帯情報リストＴＢ１０に登録する（ステップＳ１２４）。
【００４３】
次に、再生機器１２０は、選択した付帯情報つきコンテンツデータのファイルを、「未登録」のフォルダから、「登録済み」のフォルダに移動する（ステップＳ１２６）。すなわち、「未登録」のフォルダからは、選択した付帯情報つきコンテンツデータのファイルは削除される。そして、上述したステップＳ１２０の処理に戻る。
【００４４】
このステップＳ１２０において、未登録の付帯情報つきコンテンツデータがないと判断した場合（ステップＳ１２０：ＮＯ）、すなわち、すべての付帯情報つきコンテンツデータを付帯情報リストＴＢ１０に登録し終えた場合には、この付帯情報リスト登録処理を終了する。
【００４５】
この付帯情報リスト登録処理が終了すると、図９に示すように、未登録であった付帯情報つきコンテンツデータの付帯情報が、新たに付帯情報リストＴＢ１０に登録される。また、図１０に示すように、「未登録」のフォルダ内のファイルが無くなり、「登録済み」のフォルダに移動される。
【００４６】
以上のように、本実施形態に係る再生機器１２０によれば、新たにセンター機器１１０から再生機器１２０に転送した付帯情報つきコンテンツデータが、付帯情報リストＴＢ１０に登録されていなくとも、既に付帯情報リストＴＢ１０に登録されている付帯情報つきコンテンツデータの再生をしながら、付帯情報リストＴＢ１０への登録処理をすることができるようになる。このため、ユーザは、音楽の再生を楽しみながら、登録処理が終わるのを待つことができるようになり、ユーザの利便性が向上するとともに、登録処理を待つユーザのイライラ感を減少させることができる。
【００４７】
なお、本発明は上記実施形態に限定されず種々に変形可能である。例えば、図１に示したセンター機器１１０と再生機器１２０の内部構成は、一例に過ぎず、この図１に示されている以外の内部構成であってもよい。
【００４８】
また、上記実施形態におけるハードディスクドライブ１３６、１５６は、付帯情報つきコンテンツデータのファイルや、付帯情報リストＴＢ１０、再生曲リストＴＢ２０が格納される格納手段の一例であり、ハードディスクドライブ以外の記憶装置で、この格納手段を構成することも可能である。
【００４９】
また、上述した付帯情報に含まれている情報には様々なものが想定され、上述したアーティスト名や曲名などの文字情報に限らず、サムネイル画像などの画像情報が含まれている場合もあり得る。
【００５０】
また、上述の実施形態で説明した各処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを再生機器１２０に読み込ませ、実行させることにより、上述した実施形態を実現することができる。
【００５１】
また、再生機器１２０は、オペレーティングシステムや別のアプリケーションプログラム等の他のプログラムを備える場合がある。この場合、再生機器１２０の備える他のプログラムを活用するために、その再生機器１２０が備えるプログラムの中から、上述した実施形態と同等の処理を実現するプログラムを呼び出すような命令を含むプログラムを、記録媒体に記録するようにしてもよい。
【００５２】
さらに、このようなプログラムは、記録媒体の形ではなく、ネットワークを通じて搬送波として頒布することも可能である。ネットワーク上を搬送波の形で伝送されたプログラムは、再生機器１２０に取り込まれて、このプログラムを実行することにより上述した実施形態を実現することができる。
【００５３】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ再生機器１２０は、そのプログラムの復号や伸張を行った上で、実行する必要がある。
【００５４】
さらに、上述した実施形態では、ソフトウェアによるプログラムで各種の処理を実現することとしたが、ＡＳＩＣ（Application Specific IC）などのハードウェアでこれらの処理を実現するようにしてもよい。
【図面の簡単な説明】
【００５５】
【図１】本実施形態に係るコンテンツデータ転送システムの構成を説明するための図。
【図２】図１のコンテンツデータ転送システムで転送される付帯情報つきコンテンツデータのデータ構成の一例を示す図。
【図３】付帯情報つきコンテンツデータ転送後における再生機器のハードディスクドライブのフォルダ構成の一例を示す図。
【図４】図１の再生機器のディスプレイに表示される選択画面の一例を示す図。
【図５】本実施形態に係る再生処理の内容を説明するフローチャートを示す図。
【図６】図１の再生機器で作成される付帯情報リストの構成の一例を示す図。
【図７】図１の再生機器で作成される再生曲リストの一例を示す図。
【図８】本実施形態に係る付帯情報リスト登録処理の内容を説明するフローチャートを示す図。
【図９】付帯情報リスト登録処理実行後の付帯情報リストの構成の一例を示す図。
【図１０】付帯情報リスト登録処理実行後のフォルダ構成の一例を示す図。
【符号の説明】
【００５６】
１００  コンテンツデータ転送システム
１１０  センター機器
１２０  再生機器
１３０  ＣＰＵ
１３２  ＲＡＭ
１３４  ＲＯＭ
１３６  ハードディスクドライブ
１３８  通信用インターフェース
１５０  ＣＰＵ
１５２  ＲＡＭ
１５４  ＲＯＭ
１５６  ハードディスクドライブ
１５８  通信用インターフェース
１６０  ディスプレイ
１７０  ＵＳＢケーブル
【図１】
2007149224.tif 000003
【図２】
2007149224.tif 000004
【図３】
2007149224.tif 000005
【図４】
2007149224.tif 000006
【図５】
2007149224.tif 000007
【図６】
2007149224.tif 000008
【図７】
2007149224.tif 000009
【図８】
2007149224.tif 000010
【図９】
2007149224.tif 000011
【図１０】
2007149224.tif 000012